(57)【要約】 【課題】 浮き輪などの内弁を手で変形することなく、人的な労力を軽減し浮き輪などにある空気注入孔の内弁を容易に押し開き空気を機械的に出し入れすることを提供すること。【解決手段】 浮き輪などの空気注入孔へ傾斜のある先端と注入口と吸気口を兼ね備えた本装置先端を挿入する事により、空気注入孔にある内弁をその傾斜角度で押し開くことができ、その状態から真空ポンプまたは掃除機を起動させる事により先端部に設けられた注入口と吸気口を兼ねた穴により浮き輪などの内部にある空気を除去することができ、真空ポンプの替わりに圧縮機を仕様することにより、浮き輪などに空気を注入することを特徴とする。【選択図】  図１
2009222216.tif 000002
【特許請求の範囲】
【請求項１】
浮き輪などの空気封入体に形成された逆止弁付きの空気注入孔に差し込む装置であって、上記装置の先端で空気注入孔の弁を開口し先端部に注入口と吸気口部分を設けたことを特徴とするエアー除噴装置。
【請求項２】
請求項１記載のエアー除噴装置は筒状体で形成されており傾斜のある先端部で空気注入孔の弁を押して開口することを特徴とする請求項１のエアー除噴装置。
【請求項３】
請求項1記載のエアー除噴装置は空気注入孔と密着させるために、本装置の先端を空気注入孔へ差し込み、弁を開口した状態で空気注入孔口と接する部分が徐々に拡径することが特徴とする請求項１のエアー除噴装置。
【請求項４】
請求項１記載のエアー除噴装置は先端部分から請求項３記載の徐々に拡径する部分との間に注入口と吸気口を兼ね備え、その部分から空気の出し入れをすることを特徴とする請求項１のエアー除噴装置。
【請求項５】
請求項１記載のエアー除噴装置を使用し浮き輪などの内部にある空気を機械的に吸引し、また、浮き輪などの内部に空気を機械的に注入することを特徴とする請求項１のエアー除噴装置。
【請求項６】
請求項１記載のエアー除噴装置と請求項５記載の機械との間を筒状体で接続することを特徴とする請求項１のエアー除噴装置。
【請求項７】
請求項５記載の機械は圧縮機や真空ポンプまたは家庭用の掃除機を含み、請求項６記載の筒状体は、その掃除機の吸引口に吸い込まれることを防ぐ為にストッパー部分があることを特徴とする請求項１のエアー除噴装置。
【発明の詳細な説明】
【技術分野】
【０００１】
この発明は、浮き輪などにある空気注入孔の内弁を容易に開口し空気の出し入れを機械的におこなうことに関するものである。
【背景技術】
【０００２】
従来、浮き輪などは、空気を出し入れするためにビニール素材でできた円筒形状の空気注入孔が形成されているが、空気注入孔の内弁は空気が入っている状態ですと、内側からの空気圧により逆止弁の作用をし、空気の排出を防ぐ形成になるため、通常、空気を抜く際にはビニール素材でできた空気注入孔を人力で摘んで内弁を変形させて隙間を作りながら、浮き輪などに人的な圧力を無理な姿勢でかけて空気注入孔から空気を抜く必要があり、また、浮き輪などに空気を注入する際も内弁を変形させて隙間を作りながら、人体に溜めた空気を入れるという人的な繰り返し運動により浮き輪などを膨らませていた。
【０００３】
前記記述の空気を抜く作業に対処すべく２つの縦割り円筒体の間に軸方向と垂直に棒状の弾性部材を介在させ、前記２つの縦割り円筒体を連結する構成の空気抜き器具が提供されていた（特許文献１参照）。
【特許文献１】特開2007-263195号公報
【発明の開示】
【発明が解決しようとする課題】
【０００４】
しかしながら、以上の特許文献１に開示されている２つの縦割りの円筒体を連結する構成では、空気注入孔へ挿入する円筒体が内弁の根元部分（梃子の原理でいうところの支点）を押して内弁を開くことになり、内弁を押し開くのに力が必要になる。
【０００５】
特許文献１に開示されている空気抜き器具は一固体で形成されていないため密閉性がなく、本発明が目的としている請求項５記載の機械的に空気を吸引したり注入したりすることに対応できないと言う問題もある。
【０００６】
通常の空気を抜く方法では、空気注入孔を人力で摘んで内弁を変形させて隙間を作りながら人的な圧力を無理な姿勢で掛け、また、空気を入れる際には人体に溜めた空気を入れるという人的な繰り返し運動により浮き輪などを膨らませる必要があったが、この発明は内弁を手で変形することなく、人的な労力を軽減し浮き輪などにある空気注入孔の内弁を容易に押し開き空気を機械的に出し入れする装置を提供することを目的とする。
【課題を解決するための手段】
【０００７】
以上の課題を解決するために、浮き輪などの空気封入体に形成された逆止弁付きの空気注入孔に差し込む装置であって、上記装置の先端で空気注入孔の弁を開口し先端部に注入口と吸気口部分を設けたことを特徴とするエアー除噴装置である。
【０００８】
請求項１記載のエアー除噴装置は筒状体で形成されており傾斜のある先端部で空気注入孔の弁を押して開口することを特徴とする請求項１のエアー除噴装置である。
【０００９】
請求項1記載のエアー除噴装置は空気注入孔と密着させるために、本装置の先端を空気注入孔へ差し込み、弁を開口した状態で空気注入孔口と接する部分が徐々に拡径することが特徴とする請求項１のエアー除噴装置である。
【００１０】
請求項１記載のエアー除噴装置は先端部分から請求項３記載の徐々に拡径する部分との間に注入口と吸気口を兼ね備え、その部分から空気の出し入れをすることを特徴とする請求項１のエアー除噴装置である。
【００１１】
請求項１記載のエアー除噴装置を使用し浮き輪などの内部にある空気を機械的に吸引し、また、浮き輪などの内部に空気を機械的に注入することを特徴とする請求項１のエアー除噴装置である。
【００１２】
請求項１記載のエアー除噴装置と請求項５記載の機械との間を筒状体で接続することを特徴とする請求項１のエアー除噴装置である。
【００１３】
請求項５記載の機械は圧縮機や真空ポンプまたは家庭用の掃除機を含み、請求項６記載の筒状体は、その掃除機の吸引口に吸い込まれることを防ぐ為にストッパー部分があることを特徴とする請求項１のエアー除噴装置である。
【発明の効果】
【００１４】
このエアー除噴装置には、傾斜のある先端で空気注入孔の内弁を容易に押し開き、その状態から空気の出し入れを先端部に兼ね備えられた注入口と吸気口部分から行うことができるという優れた特徴があり、従来やっていた空気注入孔を手で摘んで内弁を変形させて隙間を作ると言う作業がなくなり、真空ポンプや掃除機または圧縮機を使うことにより浮き輪などに空気を機械的に出し入れができるようになるため、人的な圧力を無理な姿勢でかけたり、体に溜めた空気を入れるというような労力もなく、効率が著しく向上し素早く空気の出し入れができるという効果が得られる。
【発明を実施するための最良の形態】
【００１５】
この発明の一実施形態を図１、図２、図５に示し説明する。
浮き輪などは、空気を出し入れするためにビニール素材でできた円筒形状の空気注入孔が形成されているが、空気注入孔の内弁ａは空気が入っている状態ですと、浮き輪の内側からの空気圧により逆止弁の作用となり空気の排出を防ぐ形成になって閉じられており、その空気注入孔の内弁ａを開口するために、空気注入孔より細く筒状体で形成された本エアー除噴装置Ａの先端ｂを傾斜ｐさせ、裏面に注入口と吸気口を兼ねた穴ｍを1箇所から複数箇所設け、本エアー除噴装置Ａの先端ｂを空気注入孔の内弁aにある先端ｃ部分側の側壁面ｄに沿って挿入する事により、空気注入孔の内弁aを傾斜ｐの侵入角度幅で徐々に押し開くことができる。また、本エアー除噴装置Ａの外径が徐々に広がっている部分ｑが、空気注入孔の入り口部分ｔと接触して本エアー除噴装置と密着することができるため、本エアー除噴装置の注入口と吸気口を兼ねた穴ｍにより中の空気が空気注入孔の内弁ａを開けたままの状態を維持しながら外気と繋がる仕組みになる。
【００１６】
空気を吸引する方法を図３、図４、図５に示し説明する。
筒状体で形成された本エアー除噴装置Ａの後部ｅと、筒状体で形成された接続用の部品Ｂの先端部ｆを接続する、その接続用の部品Ｂの後部ｇを、真空ポンプｘと接続をして、前記記載の方法で空気注入孔の内弁を本エアー除噴装置Ａの先端ｂで開口し、真空ポンプｘを起動すると、その吸引力により浮き輪などに入った空気を機械的に吸引することが可能となる。また、本エアー除噴装置Ａと接続用の部品Ｂとの接続は上記の接続のままにしておき、接続用の部品Ｂの後部ｇを真空ポンプから外して、それを筒状体で形成された掃除機と接続する部品Ｃの先端部ｈと接続をする、掃除機と接続する部品Ｃの後部ｊを掃除機ｗの吸気口部分と接続し掃除機ｗを起動することにより、浮き輪などの内部にある空気を掃除機の吸引力により機械的に吸引することが可能な構造である。
【００１７】
空気を注入する方法を図４、図５に示し説明する。
最初に述べた方法で空気注入孔の内弁を本エアー除噴装置Ａの先端ｂで開口し、筒状体で形成された本エアー除噴装置Ａの後部ｅと、筒状体で形成された接続用の部品Ｂの先端部ｆを接続し、その接続用の部品Ｂの後部ｇを圧縮機ｙと接続をして、圧縮機ｙを起動することにより、その圧縮機の空気を送り出す力で浮き輪などに空気を機械的に注入することが可能な構造である。
【００１８】
各部品の詳細な接続方法を図５に示し説明する。（図３、図４参照）
筒状体で形成された本エアー除噴装置Ａと筒状体で形成された接続用の部品Ｂは、本エアー除噴装置Ａの後部ｅが雄ねじ式ボルト形状であり、接続用の部品Ｂの先端部ｆは雌ねじ式ナット形状のため接続が可能、接続用の部品Ｂの後部ｇは雄ねじ式ボルト形状であるため、真空ポンプｘ若しくは圧縮機ｙの雌ねじ式ボルト形状に接続をして使用する（接続用の部品Ｂの後部ｇの雄ねじ式ボルト形状は接続先の真空ポンプｘ若しくは圧縮機ｙが雌ねじ式ボルト形状でない場合が考えられるので、それに合った形状のものを使用してもよい）また、真空ポンプｘ若しくは圧縮機ｙから接続用の部品Ｂの後部ｇの雄ねじ式ボルト形状を外して掃除機と接続する部品Ｃの先端部ｈが雌ねじ式ナット形状のため接続をし、掃除機と接続する部品Ｃの後部ｊが家庭用の掃除機ｗの吸気口にも着脱可能な仕組みとなっているため、家庭用掃除機ｗでも使用することが可能な構造である。尚、本エアー除噴装置Ａの後部ｅが雄ねじ式ボルト形状であり、掃除機と接続する部品Ｃの先端部ｈは雌ねじ式ナット形状なので接続用の部品Ｂを使用しない接続でも可能である。
【００１９】
各接続用部分について図５を使用して示し説明する。
各接続用の、筒状体で形成された雌ねじ式ナットと筒状体で形成された雄ねじ式ボルトは６角形状にしてありエアーが漏れないようにパッキングｚを使用し素材は錆びにくい素材を使用する。
【００２０】
本エアー除噴装置Ａの先端部分について図５に示し説明する。（図５Ｄ参照）
筒状体で形成された本エアー除噴装置Ａの先端は、外径は５ｍｍほどの先端ｂを斜めに傾斜ｐして塞いだ内径４ｍｍほどの円筒形で形成し、傾斜ｐして塞いだ先端ｂの傾斜角度ｒは30度で、裏面に注入口と吸気口を兼ねた穴ｍを１箇所から10箇所設けたものであり、注入口と吸気口を兼ねた穴ｍは１つの穴が何らかの事情で塞がれてもいいように、複数箇所の穴を設けることにより空気の注入または吸引を複数ルート化できる仕組みとし、本エアー除噴装置Ａの先端ｂを空気注入孔へ挿入する際に浮き輪などに傷を付けないように先端ｂは丸く処理した構造になっている。尚、本エアー除噴装置Ａの先端を斜めに傾斜ｐして塞いだ部分を、塞がずに開口とした場合は、吸引時に内弁aが開口した傾斜ｐ部分に吸い寄せられて、傾斜ｐ部分を内弁aにより塞がれることになるが、注入口と吸気口を兼ねた穴により外気と繋がっている構造を保つことが可能になり、空気注入時には傾斜ｐ部分からも空気を注入することも可能なため開口した形成でも問題はない、また、本エアー除噴装置Ａの先端に形成された傾斜ｐは、空気注入孔にある内弁aの先端ｃを開口するために傾斜した物であり、傾斜以外の形状の物で、例えると、筒状体の先端に突起物を付けて内弁aの先端ｃを押し開く形状の物でも問題はない。
【００２１】
本エアー除噴装置Ａの先端から後部にかけて図１、図５を使用して示し説明する。
筒状体で形成された本エアー除噴装置Ａの先端より後方にある徐々に外径が広くなっている部分ｑについては、空気注入孔の側壁面ｄの長さが２０ｍｍで空気注入孔の内径ｔが６ｍｍの物や８ｍｍの物と異なるため本エアー除噴装置Ａが挿入時に空気注入孔口と密着できるように、本エアー除噴装置Ａの先端から２２ｍｍ付近までが外径５ｍｍとして、そこから徐々に外径が１０ｍｍまで広くなる形状になり、角度ｎは３０度程度の角度で広くなっていく。尚、外径が１０ｍｍまで広がった本エアー除噴装置Ａの後部eは雄ねじ式ボルト形状となっており接続用の部品Ｂの先端部ｆは雌ねじ式ナット形状のため、接続用の部品Ｂとの接続が可能な構造である。
【００２２】
図５の本エアー除噴装置Ａの素材について示し説明する。
筒状体で形成された本エアー除噴装置Ａの素材については、水場の海やプールでの使用となるため錆びにくいステンレス素材やプラスチック素材などで作られたものを使用する。
【００２３】
接続用の部品Ｂの詳細な接続方法について図５を使用して示し説明する。
筒状体で形成された接続用の部品Ｂの先端部ｆは雌ねじ式ナット形状で、本エアー除噴装置Ａの後部eが雄ねじ式ボルト形状であるため接続することが可能である。また、接続用の部品Ｂの後部ｇの雄ねじ式ボルト形状部分は、掃除機と接続する部品Ｃの先端部ｈの雌ねじ式ナット形状部分と真空ポンプｘまたは圧縮機ｙらの接続部分と接続することが可能、長さはエアーホース素材のため使用する真空ポンプｘ、圧縮機ｙ、掃除機ｗらの能力に合わせた長さで調整できる。
【００２４】
掃除機と接続する部品Ｃの詳細な接続方法について図５を使用して示し説明する。
筒状体で形成された掃除機と接続する部品Ｃの先端部ｈは雌ねじ式ナット形状部分で接続用の部品Ｂの後方部ｇは雄ねじ式ボルト形状のため接続が可能、また、掃除機と接続する部品Ｃの後方部ｊは掃除機ｗの吸気口部分と同じ大きさのため着脱が可能な仕組みとし、その掃除機と接続する部品Ｃの先端部ｈにある雌ねじ式ナット形状部分の直ぐ後方に、ストッパーｓを設けて掃除機ｗの吸引力により本装置を呑み込むことを防止している。尚、着脱が激しいことから丈夫な素材が好ましく、鉄管やプラッスチック素材で造られたものが好ましい。
【００２５】
真空ポンプｘ、圧縮機ｙの起動スイッチについて説明する。
真空ポンプｘ圧縮機ｙの起動用スイッチを本エアー除噴装置Ａの外径が徐々に広がっている部分ｑが広がり終わった外側の部分に取り付ける事により作業性が向上するためスイッチを設けたほうが好ましい、また、本エアー除噴装置の後方寄りに本装置と垂直にグリップ状のハンドルを取り付け、その部分にスイッチを設けることも好ましいが、真空ポンプｘ圧縮機ｙの機能性による。
【００２６】
浮き輪などについては、空気注入孔で形成されている物を示しレジャーマット、ゴムボート、クッションマット、ライフジャケット、ビーチボール等が含まれる。
【００２７】
尚、本発明は図５の本エアー除噴装置Ａ、接続用の部品Ｂ、掃除機と接続する部品Ｃの組み合わせにより構成されており、以上で説明した形態は、一形態を示したものであって、記載されている傾斜、角度、長さ、数量、素材、穴の形状等は実施形態に限定されるものではなく、本発明の構成を備え、目的及び効果を達成できる範囲内での変形や改良が、本発明の内容に含まれるものであることはいうまでもない。また、本発明を実施する際における具体的な構造及び形状等は、他の構造や形状としても問題はなく、本発明の目的を達成できる範囲での変形や改良は、本発明に含まれるものである。
【実施例】
【００２８】
この発明の実施例を示す。
本エアー除噴装置の先端を傾斜させ、裏面に注入口と吸気口を兼ねた穴を設けたことにより、浮き輪などの空気封入体に形成された逆止弁付きの空気注入孔へ挿入した際に内弁を傾斜の侵入角度幅で徐々に押し開くことができ、本エアー除噴装置の注入口と吸気口を兼ねた穴により中の空気を空気注入孔の内弁を開けたままの状態を維持しながら外気と繋がる仕組みになった。
【００２９】
本エアー除噴装置を使用し空気を機械的に吸引する実施例を示す。
本エアー除噴装置と真空ポンプを接続して、前記記載の方法で空気注入孔の内弁を開口した状態で真空ポンプを起動することにより、その吸引力により浮き輪などに入った空気を機械的に吸引することが可能、また、本エアー除噴装置と掃除機を接続することも可能なため、家庭用の掃除機でも内部にある空気を機械的に吸引することが可能となった。
【００３０】
空気を機械的に注入する実施例を示す。
最初に述べた方法で空気注入孔の内弁を開口した状態で本エアー除噴装置と圧縮機を接続して、その状態から圧縮機を起動することにより、圧縮機の空気を送り出す力により浮き輪などに空気を機械的に注入することも可能となった。
【００３１】
この発明の実施例を（図３）（図４）に示す。
（図３）は、家庭用の掃除機ｗに接続して使用した方法である。
（図４）は、真空ポンプｘ、圧縮機ｙに接続して使用した方法である。
【図面の簡単な説明】
【００３２】
【図１】この発明の一実施形態を示し空気注入孔の拡大斜視図である。
【図２】空気注入孔の内弁ａを示し空気注入孔の拡大斜視図である。
【図３】家庭用掃除機ｗ使用例である。
【図４】真空ポンプｘ、圧縮機ｙ使用例である。
【図５】この発明の部品詳細を示す斜視図である。
【符号の説明】
【００３３】
Ａ  筒状体で形成されたエアー除噴装置
Ｂ  筒状体で形成された接続用の部品
Ｃ  筒状体で形成された掃除機と接続する部品
Ｄ  Ａの断面図
ａ  空気注入孔の内弁
ｂ  本エアー除噴装置の先端
ｃ  空気注入孔の内弁の先端
ｄ  空気注入孔の側壁面
ｅ  本エアー除噴装置Ａの後部（雄ねじ式ボルト形状部分）
ｆ  接続用の部品Ｂの先端部（雌ねじ式ナット形状部分）
ｇ  接続用の部品Ｂの後部（雄ねじ式ボルト形状部分）
ｈ  掃除機と接続する部品の先端部（雌ねじ式ナット形状部分）
ｉ  Ａの正面図
ｊ  掃除機と接続する部品の後部
ｋ  Ｂの正面図
ｌ  Ｃの正面図
ｍ  注入口と吸気口を兼ねた穴
ｎ  角度
ｐ  傾斜
ｑ  徐々に外径が広くなっている部分
ｒ  先端角度
ｓ  ストッパー
ｔ  空気注入孔の内径
ｕ  浮き輪
ｖ  空気注入孔
ｗ  掃除機
ｘ  真空ポンプ
ｙ  圧縮機
ｚ  接続用パッキング
【図１】
2009222216.tif 000003
【図２】
2009222216.tif 000004
【図３】
2009222216.tif 000005
【図４】
2009222216.tif 000006
【図５】
2009222216.tif 000007